(57)【特許請求の範囲】
【請求項１】
絶縁部材に複数の端子を配列して保持した端子アッセンブリと、
前記端子アッセンブリを収容すると共に、 前記複数の端子を外部に導出するコネクタハウジングとを備えたコネクタ装置において、
前記コネクタハウジングは、複数の分割ハウジングで構成されており、
前記複数の端子は、前記コネクタハウジングから外部に導出される外部端子部と、前記コネクタハウジングに設けられた内部配線に接続される内部配線部とを備え、
前記内部配線部は、前記内部配線に溶接される複数の溶接部を備え、
前記複数の分割ハウジングのうちの少なくとも１つは、その内面側に複数の前記溶接部間に対応する分断突起を備えており、
該分断突起は、前記コネクタハウジングに前記端子アッセンブリを収容した状態では複数の前記溶接部の間に入り込むようにしたことを特徴とするコネクタ装置。
【請求項２】
前記端子アッセンブリは、一面上に前記複数の端子を配列するように連結する連結部を切断した状態で、かつ前記一面上での配列形状を維持した状態で前記絶縁部材に前記複数の端子が保持されており、
前記複数の分割ハウジングのいずれかには、 前記連結部の切断によって生じる空隙に嵌入するための嵌入突起が設けられ、前記端子アッセンブリを収容するように前記複数の分割ハウジングを組み合わせて前記コネクタハウジングを組み立てた状態では、 前記嵌入突起が前記空隙に嵌入するようにした請求項１に記載のコネクタ装置。
【請求項３】
前記コネクタハウジングは、第１の分割ハウジングと第２の分割ハウジングとから構成されており、前記嵌入突起は、前記第１の分割ハウジングと第２の分割ハウジングとの少なくとも一方に設けられている請求項２に記載のコネクタ装置。
【請求項４】
前記連結部は、凹部を有する請求項２又は請求項３に記載のコネクタ装置。
【請求項５】
前記内部配線を備えた分割ハウジングは、その内面側に前記内部配線部を所定の位置に支持する支持部を備え、複数の前記内部配線部の一部は、前記支持部に食い込む爪部を備えている請求項１乃至請求項４のいずれか１項に記載のコネクタ装置。
【請求項６】
前記コネクタハウジングは、第１の分割ハウジングと第２の分割ハウジングとから構成されており、前記分断突起は、前記第１の分割ハウジングと第２の分割ハウジングとの少なくとも一方に設けられている請求項１乃至請求項５のいずれか１項に記載のコネクタ装置。
【請求項７】
一面上に複数の端子を配列するように連結する連結部を切断した状態で、かつ前記一面上での配列形状を維持した状態で絶縁部材に前記複数の端子を保持した端子アッセンブリと、前記端子アッセンブリを収容すると共に、 前記複数の端子を外部に導出するコネクタハウジングとを備え、前記コネクタハウジングを複数の分割ハウジングで構成し、前記複数の分割ハウジングのうちの一部は内部配線を備え、前記端子プレートの複数の端子は前記コネクタハウジングから外部に導出される外部端子部と前記コネクタハウジング内の内部配線に接続される内部配線部とを備え、複数の前記内部配線部の一部は前記内部配線に溶接される溶接部を備えたコネクタ装置の製造方法であって、
前記端子アッセンブリにおける前記連結部を切断する切断工程と、
前記連結部を切断した前記端子アッセンブリを前記複数の分割ハウジングのうちの１つに組み付ける組み付け工程と、
前記複数の分割ハウジングを組み合わせて前記コネクタハウジングを組み立てる組立工程とを含み、
前記組み付け工程は、前記溶接部を前記内部配線に溶接する溶接工程を含み、  
前記組立工程においては、前記複数の分割ハウジングのいずれかに設けられた分断突起が複数の前記溶接部の間に挿入されることを特徴とするコネクタ装置の製造方法。
【請求項８】
前記組立工程においては、さらに前記複数の分割ハウジングのいずれかに設けられた嵌入突起が連結部の切断によって生じた空隙に嵌入される請求項７に記載のコネクタ装置の製造方法。
【請求項９】
前記コネクタハウジングは、第１の分割ハウジングと第２の分割ハウジングとから構成されており、前記嵌入突起は、前記第１の分割ハウジングと第２の分割ハウジングとの少なくとも一方に設けられており、 前記組立工程は、前記第１の分割ハウジングと第２の分割ハウジングとを組み合わせる工程である請求項８に記載のコネクタ装置の製造方法。
【請求項１０】
前記端子アッセンブリは、第１の面上に複数の端子を配列するように連結して形成した第１の端子プレートにおける連結部を切断した状態で、かつ前記第１の面上での配列形状を維持した状態で絶縁部材に前記第１の端子プレートの複数の端子を保持すると共に、第２の面上に複数の端子を配列するように連結して形成した第２の端子プレートにおける連結部を切断した状態で、かつ前記第２の面上での配列形状を維持した状態で前記絶縁部材に前記第２の端子プレートの複数の端子を保持して構成されており、前記切断工程は、前記第１の端子プレートの連結部と、前記第２の端子プレートの連結部とを切断する工程である請求項７乃至請求項９のいずれか１項に記載のコネクタ装置の製造方法。
【請求項１１】
前記内部配線を備えた分割ハウジングは、その内面側に前記内部配線部を所定の位置に支持する支持部を備え、複数の前記内部配線部の一部は、前記支持部に食い込む爪部を備え、前記組み付け工程は、前記爪部を前記支持部に食い込ませて前記内部配線を備えた分割ハウジングに対する所定の位置に前記端子アッセンブリを仮保持する仮保持工程を含む請求項７乃至請求項１０のいずれか１項に記載のコネクタ装置の製造方法。
【発明の詳細な説明】
【０００１】
【発明の属する技術分野】
本発明は、絶縁部材に複数の端子を保持した端子アッセンブリと、前記端子アッセンブリを収容すると共に、 前記複数の端子を外部に導出するコネクタハウジングとを備えたコネクタ装置及びその製造方法に関するものである。
【０００２】
【従来の技術】
特開平９−９５６２号公報に開示されるコネクタ装置では、複数のプレート状の第１端子が一平面上に配列されており、複数のプレート状の第２端子が別の一平面上に配列されている。複数の第１端子と複数の第２端子とは、積層した状態で配置されている。複数の第１端子は、一体化された状態で製造され、隣合う第１端子同士は、連結部を介して結合している。一体化された複数の第１端子は、組み付け時に前記連結部を切断されて個々の端子に分離されて組み付けられる。同様に、複数の第２端子は、一体化された状態で製造され、隣合う第２端子同士は、連結部を介して結合している。一体化された複数の第２端子は、組み付け時に連結部を切断されて個々の端子に分離されて組み付けられる。連結部の切断は、例えばプレスによって切断される。
【０００３】
【発明が解決しようとする課題】
隣り合う端子同士を結合する連結部を切断すると、切断によって生じる連結部の切断端部が折れ曲がって離間する。しかし、連結部を単に切断するだけでは切断端部の折れ曲がりが不十分となり、複数の端子を組み付けた状態では、連結部の切断端部同士が近接し過ぎていたり、あるいは接触するというおそれがある。連結部の切断端部同士の近接し過ぎ、あるいは接触は、電気的な絶縁不良をもたらす。
【０００４】
本発明は、複数の端子の内部配線との隣合う溶接部にまたがるろう材による電気的な絶縁不良の発生を防止することを目的とする。
【０００５】
【課題を解決するための手段】
そのために請求項１の発明は、絶縁部材に複数の端子を配列して保持した端子アッセンブリと、前記端子アッセンブリを収容すると共に、 前記複数の端子を外部に導出するコネクタハウジングとを備えたコネクタ装置において、前記コネクタハウジングは、複数の分割ハウジングで構成されており、前記複数の端子は、前記コネクタハウジングから外部に導出される外部端子部と、前記コネクタハウジングに設けられた内部配線に接続される内部配線部とを備え、前記内部配線部は、前記内部配線に溶接される複数の溶接部を備え、前記複数の分割ハウジングのうちの少なくとも１つは、その内面側に複数の前記溶接部間に対応する分断突起を備えており、該分断突起は、前記コネクタハウジングに前記端子アッセンブリを収容した状態では複数の前記溶接部の間に入り込むようにした。
端子アッセンブリを構成する複数の端子が近接配置されているとすると、溶接部同士も近接配置されることが多い。溶接部同士が近接配置されている場合、溶接箇所が隣から隣へと移る際に溶接用のろう材が引きずられて隣合う溶接部同士が電気的に接続してしまうおそれがある。端子アッセンブリを収容するようにコネクタハウジングを組み立てた状態では、分断突起が溶接部間に入り込む。溶接部間に入り込んだ分断突起は、ろう材による電気的接続を確実に断ち切る。
請求項２の発明では、請求項１において、前記端子アッセンブリは、一面上に複数の端子を配列するように連結する連結部を切断した状態で、かつ前記一面上での配列形状を維持した状態で前記絶縁部材に前記複数の端子が保持されており、前記複数の分割ハウジングのいずれかには、 前記連結部の切断によって生じる空隙に嵌入するための嵌入突起が設けられ、前記端子アッセンブリを収容するように前記複数の分割ハウジングを組み合わせて前記コネクタハウジングを組み立てた状態では、 前記嵌入突起が前記空隙に嵌入するようにした。
【０００６】
端子アッセンブリを収容するようにコネクタハウジングを組み立てた状態では、嵌入突起が連結部の切断によって生じた空隙に嵌入する。前記空隙に嵌入した嵌入突起は、連結部の切断によって生じる対の切断端部同士の接触を防止する。嵌入突起の幅を対の切断端部同士の所望の間隔の大きさに設定しておけば、対の切断端部の間隔が所望の間隔に達していない場合にも、嵌入突起が前記空隙に嵌入することによって対の切断端部の間隔が所望の間隔に拡げられる。
【０００７】
請求項３の発明では、請求項２において、前記コネクタハウジングは、第１の分割ハウジングと第２の分割ハウジングとから構成し、前記嵌入突起は、前記第１の分割ハウジングと第２の分割ハウジングとの少なくとも一方に設けた。
【０００８】
端子アッセンブリを収容するように第１の分割ハウジングと第２の分割ハウジングとを組み合わせてコネクタハウジングを組み立てると、嵌入突起が連結部の切断によって生じた空隙に嵌入する。一対の分割ハウジングでコネクタハウジングを組み立てる構成は、コネクタハウジングの組立に関して簡便である。
【０００９】
請求項４の発明では、請求項２又は請求項３において、前記連結部は、凹部を有するようにした。
凹部は、連結部において強度的に最も弱い部分となり、連結部の切断の際には凹部にて破断される。従って、凹部を備えた連結部の切断は、確実かつ容易に所定の箇所で行われる。
【００１０】
請求項５の発明では、請求項１乃至請求項４のいずれか１項において、前記内部配線を備えた分割ハウジングは、その内面側に前記内部配線部を所定の位置に支持する支持部を備え、複数の前記内部配線部の一部は、前記支持部に食い込む爪部を備えているようにした。
【００１１】
爪部が支持部に食い込んだ状態では、爪部を備えた内部配線部は、支持部及び内部配線を備えた分割ハウジングに仮保持される。従って、内部配線と内部配線部との溶接が安定した状態で行われる。支持部に対する爪部の食い込みによる仮保持は、溶接による端子アッセンブリの固定を一層安定にする。
【００１２】
請求項６の発明では、請求項１乃至請求項５のいずれか１項において、前記コネクタハウジングは、第１の分割ハウジングと第２の分割ハウジングとから構成し、前記分断突起は、前記第１の分割ハウジングと第２の分割ハウジングとの少なくとも一方に設けた。
【００１３】
端子アッセンブリを収容するように第１の分割ハウジングと第２の分割ハウジングとを組み合わせてコネクタハウジングを組み立てると、分断突起が溶接部間に入りこむ。一対の分割ハウジングでコネクタハウジングを組み立てる構成は、コネクタハウジングの組立に関して簡便である。
【００１４】
請求項７の発明では、一面上に複数の端子を配列するように連結する連結部を切断した状態で、かつ前記一面上での配列形状を維持した状態で絶縁部材に前記複数の端子を保持した端子アッセンブリと、前記端子アッセンブリを収容すると共に、 前記複数の端子を外部に導出するコネクタハウジングとを備え、前記コネクタハウジングを複数の分割ハウジングで構成し、前記複数の分割ハウジングのうちの一部は内部配線を備え、前記端子プレートの複数の端子は前記コネクタハウジングから外部に導出される外部端子部と前記コネクタハウジング内の内部配線に接続される内部配線部とを備え、複数の前記内部配線部の一部は前記内部配線に溶接される溶接部を備えたコネクタ装置の製造方法であって、前記端子アッセンブリにおける前記連結部を切断する切断工程と、前記連結部を切断した前記端子アッセンブリを前記複数の分割ハウジングのうちの１つに組み付ける組み付け工程と、前記複数の分割ハウジングを組み合わせて前記コネクタハウジングを組み立てる組立工程とを含み、前記組み付け工程は、前記溶接部を前記内部配線に溶接する溶接工程を含み、前記組立工程においては、前記複数の分割ハウジングのいずれかに設けられた分断突起が複数の前記溶接部の間に挿入される。
溶接部間に入り込んだ分断突起は、隣合う溶接部にまたがっているろう材による電気的接続を確実に断ち切る。
【００１５】
請求項８の発明では、請求項７において、前記組立工程において、前記複数の分割ハウジングのいずれかに設けられた嵌入突起が前記連結部の切断によって生じた空隙に嵌入されるようにした。
前記空隙に嵌入突起を嵌入させるようにコネクタハウジングを組み立てるコネクタ装置の製造方法は、連結部の切断によって生じる対の切断端部同士の接触を防止する。
【００１６】
請求項９の発明では、請求項８において、前記コネクタハウジングは、第１の分割ハウジングと第２の分割ハウジングとから構成されており、前記嵌入突起は、前記第１の分割ハウジングと第２の分割ハウジングとの少なくとも一方に設けられており、 前記組立工程は、前記第１の分割ハウジングと第２の分割ハウジングとを組み合わせる工程とした。
【００１７】
一対の分割ハウジングでコネクタハウジングを組み立てる製造方法は、コネクタハウジングの組立工程の簡素化に最適である。
請求項１０の発明では、請求項７乃至請求項９のいずれか１項において、前記端子アッセンブリは、第１の面上に複数の端子を配列するように連結して形成した第１の端子プレートにおける連結部を切断した状態で、かつ前記第１の面上での配列形状を維持した状態で絶縁部材に前記第１の端子プレートの複数の端子を保持すると共に、第２の面上に複数の端子を配列するように連結して形成した第２の端子プレートにおける連結部を切断した状態で、かつ前記第２の面上での配列形状を維持した状態で前記絶縁部材に前記第２の端子プレートの複数の端子を保持して構成されており、前記切断工程は、前記第１の端子プレートの連結部と、前記第２の端子プレートの連結部とを切断する工程とした。
【００１８】
２つの面上に分けて配設された端子プレートにおける連結部が絶縁部材に取り付けられた状態で切断される。
請求項１１の発明では、請求項７乃至請求項１０のいずれか１項において、前記内部配線を備えた分割ハウジングは、その内面側に前記内部配線部を所定の位置に支持する支持部を備え、複数の前記内部配線部の一部は、前記支持部に食い込む爪部を備え、前記組み付け工程は、前記爪部を前記支持部に食い込ませて前記内部配線を備えた分割ハウジングに対する所定の位置に前記端子アッセンブリを仮保持する仮保持工程を含むものとした。
【００１９】
支持部に対する爪部の食い込みによる仮保持は、ねじ等の別部品を用いた端子アッセンブリの仮保持という煩わしい作業を行うことなくスピーディーに安定した溶接作業を保障する。
【００２５】
【発明の実施の形態】
以下、本発明をワイパ装置に具体化した第１の実施の形態を図１〜図８に基づいて説明する。
【００２６】
図２（ａ）に示すように、ワイパ駆動用モータ１１のハウジング１１１にはギヤハウジング１２が結合されている。ギヤハウジング１２内には減速歯車機構１３が内蔵されている。減速歯車機構１３は、ワイパ駆動用モータ１１のギヤハウジング１２に結合されたウォーム１４と、ウォーム１４に噛合されたウォームホイール１５とからなる。ウォーム１４は、ワイパ駆動用モータ１１の出力軸となる。ウォームホイール１５は、出力軸１６にインサート成形にて一体に固定されており、出力軸１６は、ギヤハウジング１２に回転可能に支持されている。ウォーム１４の回転は、減速歯車機構１３によって２段階の減速作用を受けて出力軸１６に伝達される。
【００２７】
出力軸１６には図示しないワイパアームが図示しないクランク機構を介して連結されており、ワイパアームに結合された図示しないワイパブレードが出力軸１６の回転によって往復揺動される。
【００２８】
図２（ｂ）に示すように、収容凹部１２１は、絶縁樹脂製のカバー２２によって被覆されている。ギヤハウジング１２の一部となるカバー２２の内側には円板形状の従動体２３が回転可能に収容されている。従動体２３には導電性のスイッチングパターン２４が絶縁樹脂からなる円盤部分に形成されている。カバー２２の内面にはレバー形状の複数の接触端子２３１がスイッチングパターン２４に摺接可能に対向して固定されている。従動体２３に対するウォームホイール１５の対向面には係合突部２５が止着されており、係合突部２５は、従動体２３に係合している。ウォームホイール１５の回転は、係合突部２５を介して従動体２３に伝えられ、従動体２３がウォームホイール１５の回転に連動して回転する。ウォームホイール１５の回転に連動する従動体２３上の接触端子２３１は、スイッチングパターン２４と接離する。接触端子２３１及びスイッチングパターン２４は、ワイパブレードの払拭位置及び停止位置に対応した位置を検出する回転位置検出装置４９を構成する。
【００２９】
図２（ｂ）及び図１（ａ）に示すように、カバー２２の外面には第１の分割ハウジング２６が一体形成されており、第１の分割ハウジング２６には絶縁樹脂製の第２の分割ハウジング２７が被覆して固定されている。第１の分割ハウジング２６及び第２の分割ハウジング２７から構成されるコネクタハウジング２８の内部には図１（ｂ）に示す回路ユニット２９が収容されている。回路ユニット２９は、端子アッセンブリ３０と、内部配線３１，３２と、コンデンサ３３，３４とを備えている。
【００３０】
図６（ａ）及び図７（ａ）に示すように、端子アッセンブリ３０は、絶縁部材３５と、絶縁部材３５に支持された複数の端子３６，３７，３８，３９，４０とからなる。各端子３６，３７，３８，３９，４０は、コネクタハウジング２８の外部に突出する外部端子部３６１，３７１，３８１，３９１，４０１と、コネクタハウジング２８に内蔵される内部配線部３６２，３７２，３８２，３９２，４０２とからなる。
【００３１】
図８に示すように、絶縁部材３５に結合された端子３６，３７の部分は、第１の平面Ｓ１上に配列されており、絶縁部材３５に結合された端子３８，３９，４０の部分は、第２の平面Ｓ２上に配列されている。
【００３２】
図６（ｂ）は、端子３６，３７の素材である端子プレート４１を示す。図７（ｂ）は、端子３８，３９，４０の素材である端子プレート４２を示す。端子プレート４１，４２は、導電性の金属製の薄い平板から形成されている。端子プレート４１は、準端子３６Ａ，３７Ａと、準端子３６Ａ，３７Ａを連結する一対の連結部４１１とからなる。端子プレート４２は、準端子３８Ａ，３９Ａ，４０Ａと、準端子３８Ａ，３９Ａを連結する一対の連結部４２１と、準端子３９Ａ，４０Ａを連結する一対の連結部４２２とからなる。図６（ｃ）に示すように、連結部４１１には凹部４１２が形成されている。図７（ｃ）に示すように、連結部４２１，４２２には凹部４２３，４２４が形成されている。
【００３３】
端子プレート４１，４２は、絶縁部材３５に取り付けられた後に連結部４１１，４２１，４２２を切断される。図６（ａ）及び図７（ａ）は、連結部４１１、４２１，４２２を切断した状態の端子アッセンブリ３０を示す。端子アッセンブリ３０は、平面Ｓ１，Ｓ２上に複数の端子３６〜４０を配列するように連結する連結部４１１，４２１，４２２を切断した状態で、かつ平面Ｓ１，Ｓ２上での配列形状を維持した状態で絶縁部材３５に複数の端子３６〜４０を保持している。
【００３４】
図３（ａ）及び図１（ｂ）に示すように、内部配線３１，３２は、第１の分割ハウジング２６の内面に取り付けられている。図４（ａ）及び図１（ｂ）に示すように、内部配線３１は、端子３７の溶接部３７３と溶接によって接続されている。内部配線３２は、端子３８の溶接部３８３と溶接によって接続されている。内部配線部３６２は、中途の接続部３６４を介してカバー２２の内面側にある回転位置検出装置４９に電気的に接続されている。内部配線部３９２，４０２は、先端の接続部３９４，４０４を介して回転位置検出装置４９に電気的に接続されている。コンデンサ３３は、一方の接続足３３１を介して端子３６の内部配線部３６２に電気的に接続されると共に、他方の接続足３３２を介して内部配線３１にも電気的に接続されている。コンデンサ３４は、一方の接続足３４１を介して内部配線３２に電気的に接続されると共に、他方の接続足３４２を介して内部配線１０にも電気的に接続されている。接続足３４２は、内部配線１０を介して第１の分割ハウジング２６の裏面側〔図４（ａ）中、紙面の裏面側〕から内部配線部３６２の溶接部３６３に溶接にて電気的に接続されている。なお、内部配線部３６２，３９２，４０２の各接続部３６４，３９４，４０４は、第１の分割ハウジング２６の裏面側に配置される回転位置検出装置４９の接触端子（固定接点）２３１にそれぞれ接続される。
【００３５】
図９は、回路ユニット２９の配線構造を示す。ワイパ駆動用モータ１１のアーマチャ１１２〔図２（ａ）にも図示〕に摺接する共通グランド用ブラシ４３〔図２（ａ）にも図示〕は、端子３６に電気的に接続されている。高速用ブラシ４４は、内部配線３１を介して端子３７に電気的に接続されている。低速用ブラシ４５は、内部配線３２を介して端子３８に電気的に接続されている。
【００３６】
端子３６，３７，３８，３９，４０には制御装置４６が電気的に接続されている。制御装置４６は、ワイパスイッチ４７とバッテリ４８とを備えている。ワイパスイッチ４７は、停止位置４７１と低速駆動位置４７２と高速駆動位置４７３とのいずれか１つに切り換え配置される。ワイパスイッチ４７を低速駆動位置４７２に切り換え配置した状態では、低速用ブラシ４５とバッテリ４８とが端子３８及びワイパスイッチ４７を介して電気的に接続し、アーマチャ１１２が低速で回転する。従って、ワイパブレードが低速で揺動する。ワイパスイッチ４７を高速駆動位置４７３に切り換え配置した状態では、高速用ブラシ４４とバッテリ４８とが端子３７及びワイパスイッチ４７を介して電気的に接続し、アーマチャ１１２が高速で回転する。従って、ワイパブレードが高速で揺動する。
【００３７】
ワイパスイッチ４７を停止位置４７１に切り換えたときにワイパブレードが所定の停止位置以外にあると、ワイパ駆動用モータ１１に連動回転するカムＣに設けられた摺動接点スイッチにより端子３９と端子４０とが回転位置検出装置４９を介して電気的に接続する。これにより低速用ブラシ４５が回転位置検出装置４９及びワイパスイッチ４７を介してバッテリ４８に電気的に接続し、ワイパブレードが低速で払拭作動する。そして、ワイパブレードが所定の停止位置に移動すると、端子３６と端子３９とが回転位置検出装置４９を介して電気的に接続される。従って、アーマチャ１１２の回転が停止し、ワイパブレードが所定の停止位置に自動停止する。ワイパスイッチ４７、バッテリ４８、回路ユニット２９及び回転位置検出装置４９は、ワイパブレードを所定の停止位置に自動停止させる定位置停止装置５０を構成する。
【００３８】
図３（ａ）及び図４（ａ）に示すように、第１の分割ハウジング２６の内面には支持部５１，５２，５３，５４，５５，５６，５７，５８，５９が一体形成されている。図４（ａ）に示すように、端子３６の内部配線部３６２の両側縁にはそれぞれ爪部３６５が形成されている。同様に、端子３７，３８，３９，４０の内部配線部３７２，３８２，３９２，４０２にも一対の爪部３７５，３８５，３９５，４０５が形成されている。内部配線部３６２は、対の爪部３６５が支持部５１，５２間に位置するように配設されている。内部配線部３７２は、対の爪部３７５が支持部５３，５４間に位置するように配設されており、内部配線部３８２は、対の爪部３８５が支持部５５，５６間に位置するように配設されている。内部配線部３９２は、対の爪部３９５が支持部５７，５８間に位置するように配設されており、内部配線部４０２は、対の爪部４０５が支持部５８，５９間に位置するように配設されている。図４（ｂ）に示すように、対の爪部３６５の先端の間隔は、支持部５１，５２の間隔よりも大きくしてあり、対の爪部３６５の先端が支持部５１，５２の内側面に食い込んでいる。又、対の爪部３７５の先端は、支持部５３，５４の内側面に食い込んでおり、対の爪部３８５の先端は、支持部５５，５６の内側面に食い込んでいる。同様に、対の爪部３９５の先端は、支持部５７，５８の内側面に食い込んでおり、対の爪部４０５の先端は、支持部５８，５９の内側面に食い込んでいる。
【００３９】
図３（ａ）に示すように、第１の分割ハウジング２６の内面には一対の嵌入突起２６１，２６２が一体形成されている。図３（ｂ）に示すように、嵌入突起２６１は、連結部４２１の切断によって生じた対の切断端部４２５，４２６の間の空隙Ｋ１に嵌入されている。又、嵌入突起２６２は、連結部４２２の切断によって生じた対の切断端部４２７，４２８の間の空隙Ｋ２に嵌入されている。即ち、端子アッセンブリ３０を収容するように第１の分割ハウジング２６と第２の分割ハウジング２７とを組み合わせてコネクタハウジング２８を組み立てた状態では、嵌入突起２６１，２６２が対の切断端部４２５，４２６及び対の切断端部４２７，４２８の間の空隙Ｋ１，Ｋ２に嵌入される。
【００４０】
図５（ａ）に示すように、第２の分割ハウジング２７の内面には嵌入突起２７１が一体形成されている。図５（ｂ）に示すように、嵌入突起２７１は、連結部４１１の切断によって生じた対の切断端部４１３，４１４の間の空隙Ｋ３に嵌入されている。即ち、端子アッセンブリ３０を収容するように第１の分割ハウジング２６と第２の分割ハウジング２７とを組み合わせてコネクタハウジング２８を組み立てた状態では、嵌入突起２７１が対の切断端部４１３，４１４の間の空隙Ｋ３に嵌入される。
【００４１】
図５（ａ）に示すように、第２の分割ハウジング２７の内面には分断突起２７２が一体形成されている。図５（ｃ）に示すように、分断突起２７２は、溶接部３７３，３８３間に入り込んでいる。即ち、端子アッセンブリ３０を収容するように第１の分割ハウジング２６と第２の分割ハウジング２７とを組み合わせてコネクタハウジング２８を組み立てた状態では、分断突起２７２が溶接部３７３，３８３の間に挿入される。
【００４２】
図５（ａ），（ｂ）に示すように、第２の分割ハウジング２７の内面には一対の押さえ片２７３，２７４が一体形成されている。押さえ片２７３，２７４は、弾性変形した状態で端子アッセンブリ３０の絶縁部材３５に当接しており、絶縁部材３５が第１の分割ハウジング２６と第２の分割ハウジング２７との間で挟み込まれている。
【００４３】
端子アッセンブリ３０を収容すると共に、 複数の端子３６，３７，３８，３９，４０を外部に導出するコネクタハウジング２８とを備えたコネクタ装置は、以下のように製造される。
【００４４】
〔切断工程〕
端子プレート４１，４２を絶縁部材３５の各端子保持孔に外部端子部３６１，３７１，３８１，３９１，４０１を挿入して取り付けられた後に連結部４１１，４２１，４２２を切断する。
【００４５】
〔組み付け工程〕
（仮保持工程）連結部４１１，４２１，４２２を切断された端子アッセンブリ３０における端子３６〜４０の爪部３６５，３７５，３８５，３９５，４０５を支持部５１〜５９に食い込ませるようにして、第１の分割ハウジング２６に端子アッセンブリ３０を組み付ける。端子アッセンブリ３０は、支持部５１〜５９に対する食い込みによって第１の分割ハウジング２６に対する所定の位置に仮保持される。
【００４６】
（溶接工程）第１の分割ハウジング２６の所定の位置に端子アッセンブリ３０を仮保持した後、溶接部３６３，３７３，３８３と内部配線１０，３１，３２とを溶接によって接続する。
【００４７】
仮保持工程及び溶接工程は、組み付け工程に含まれる。
〔組立工程〕端子アッセンブリ３０を組み付けた第１の分割ハウジング２６と第２の分割ハウジング２７とを組み合わせてコネクタハウジング２８を組み立てる。この組立工程では、コネクタハウジング２８が組み立てられた状態において、第１の分割ハウジング２６に設けられた嵌入突起２６１，２６２が連結部４２１，４２２の切断によって生じた空隙Ｋ１，Ｋ２に嵌入される。又、第２の分割ハウジング２７に設けられた嵌入突起２７１が連結部４１１の切断によって生じた空隙Ｋ３に嵌入される。さらに、第２の分割ハウジング２７に設けられた分断突起２７２が隣り合う溶接部３７３，３８３の間に挿入される。
【００４８】
第１の実施の形態では以下の効果が得られる。
（１−１）連結部４１１，４２１，４２２をプレス等によって切断すると、切断端部４１３，４１４，４２５，４２６，４２７，４２８が折れ曲がる。しかし、連結部４１１，４２１，４２２を単に切断しただけでは切断端部４１３，４１４，４２５〜４２８の折れ曲がりが不十分となる。このような折れ曲がりの不十分な状態は、第１の分割ハウジング２６に端子アッセンブリ３０を組み付けた状態では、切断端部４１３，４１４同士、切断端部４２５，４２６同士、切断端部４２７，４２８同士が近接し過ぎたり、あるいは接触するというおそれをもたらす。
【００４９】
端子アッセンブリ３０を収容するようにコネクタハウジング２８を組み立てた状態では、絶縁性の嵌入突起２６１が切断端部４２５，４２６の間の空隙Ｋ１に嵌入する。同様に、絶縁性の嵌入突起２６２が切断端部４２７，４２８の間の空隙Ｋ２に嵌入し、絶縁性の嵌入突起２７１が切断端部４１３，４１４の間の空隙Ｋ３に嵌入する。切断端部４２５，４２６の間の空隙Ｋ１に嵌入した嵌入突起２６１は、切断端部４２５，４２６同士の接触を防止する。切断端部４２７，４２８の間のＫ２に嵌入した嵌入突起２６２は、切断端部４２７，４２８同士の接触を防止する。切断端部４１３，４１４の間の空隙Ｋ３に嵌入した嵌入突起２７１は、切断端部４１３，４１４同士の接触を防止する。従って、対の切断端部の間の絶縁不良の発生は、確実に防止される。
【００５０】
（１−２）嵌入突起２６１，２６２，２７１の幅ｔ〔図３（ｂ）及び図５（ｂ）に図示〕を対の切断端部同士の所望の間隔の大きさに設定しておけば、対の切断端部の間隔が所望の間隔ｔに達していない場合にも、嵌入突起２６１，２６２，２７１が対の切断端部同士の空隙Ｋ１，Ｋ２に嵌入することによって対の切断端部の間隔が所望の間隔ｔに確実に拡げられる。
【００５１】
（１−３）コネクタハウジング２８は、一対の分割ハウジング２６，２７という最少の構成要素で組み立てられる。このような構成は、コネクタハウジング２８を組み立てる上で簡便であり、コネクタハウジング２８の組立工程の簡素化に最適である。
【００５２】
（１−４）連結部４１１，４２１，４２２の切断箇所は、第１の分割ハウジング２６と第２の分割ハウジング２７とを組み付けたときの嵌入突起２６１，２６２，２７１の位置に対応している必要がある。この切断箇所がずれると、嵌入突起２６１，２６２，２７１が切断端部の間に嵌入しないおそれがある。
【００５３】
連結部４１１，４２１，４２２に設けられた凹部４１２，４２３，４２４は、連結部４１１，４２１，４２２において強度的に最も弱い部分となり、連結部４１１，４２１，４２２の切断の際には凹部４１２，４２３，４２４が破断する。従って、凹部４１２，４２３，４２４を備えた連結部４１１，４２１，４２２の切断は、連結部４１１，４２１，４２２上の所定の箇所で確実かつ容易に行われる。
【００５４】
（１−５）端子３６〜４０の内部配線部３６２〜４０２に設けられた爪部３６５〜４０５が支持部５１〜５９に食い込んだ状態では、内部配線部３６２〜４０２は、支持部５１〜５９及び内部配線１０，３１，３２を備えた第１の分割ハウジング２６に仮保持される。内部配線１０，３１，３２に対する溶接部３６３，３７３，３８３（即ち、内部配線部３６２，３７２，３８２）の溶接は、この仮保持状態のもとに行われる。支持部５１〜５９に対する爪部３６５〜４０５の食い込みによる仮保持は、端子アッセンブリ３０を第１の分割ハウジング２６に対する所定の位置に安定的に保持する。従って、内部配線１０，３１，３２と内部配線部３６２，３７２，３８２との溶接が安定した状態で行われる。
【００５５】
（１−６）支持部５１〜５９に対する爪部３６５〜４０５の食い込みによる仮保持は、コネクタハウジング２８を組み立てた後にも継続される。従って、溶接による端子アッセンブリ３０の固定が一層安定して維持される。
【００５６】
（１−７）端子アッセンブリ３０を構成する複数の３６〜４０は近接配置されており、溶接部３７３，３８３は近接している。溶接部３７３の溶接を行った後に溶接部３８３の溶接に移行する際、溶接用のろう材が引きずられて隣合う溶接部３７３，３８３同士が電気的に接続してしまうおそれがある。端子アッセンブリ３０を収容するようにコネクタハウジング２８を組み立てた状態では、絶縁性の分断突起２７２が隣り合う溶接部３７３，３８３の間に入り込む。溶接部３７３，３８３間に入り込んだ分断突起２７２は、隣り合う溶接部３７３，３８３を電気的に接続しているろう材を確実に断ち切る。
【００５７】
（１−８）端子アッセンブリ３０を収容するようにコネクタハウジング２８を組み立てた状態では、押さえ片２７３，２７４は、弾性変形した状態で端子アッセンブリ３０の絶縁部材３５に当接する。即ち、絶縁部材３５が第１の分割ハウジング２６と第２の分割ハウジング２７との間で挟み込まれる。押さえ片２７３，２７４の弾性変形を利用して第１の分割ハウジング２６と第２の分割ハウジング２７との間に絶縁部材３５を挟み込む構成は、コネクタハウジング２８内の所定位置での端子アッセンブリ３０の保持を確実にする。
【００５８】
本発明では以下のような実施の形態も可能である。
（１）コネクタハウジングを３つ以上の分割ハウジングで構成し、切断された連結部の空隙に嵌入するための嵌入突起を前記複数の分割ハウジングのいずれかに設けること。
【００５９】
（２）複数の端子の全てを単一の平面上に配列し、複数の分割ハウジングの内の１つにのみ全ての嵌入突起を設けること。
（３）針金形状の導電性金属によって端子を形成すること。
【００６０】
（４）曲面上に複数の端子を配列すること。
（５）複数の端子のうちの一部の端子にのみ爪部を設けること。
前記した実施の形態から把握できる発明について以下に記載する。
【００６１】
〔１〕前記嵌入突起を設ける分割ハウジングを絶縁樹脂で形成し、前記嵌入突起を設ける分割ハウジングの内面に前記嵌入突起を一体形成した。
【００６２】
〔２〕前記複数の端子プレートは、薄板形状の金属プレートで形成されている。
〔３〕前記一面は一平面である。
【００６３】
【発明の効果】
以上詳述したように、本発明では、複数の端子の内部配線との隣合う溶接部にまたがるろう材による電気的な絶縁不良の発生を防止し得るという優れた効果を奏する。
【図面の簡単な説明】
【図１】第１の実施の形態を示し、（ａ）はワイパ駆動用モータの側面図。（ｂ）はクネクタ装置の内部を示す要部側面図。
【図２】（ａ）は一部破断側面図。（ｂ）は（ａ）のＡ−Ａ線断面図。
【図３】（ａ）は第１の分割ハウジングを示す拡大側面図。（ｂ）は図１（ｂ）のＢ−Ｂ線拡大断面図。
【図４】（ａ）は、第１の分割ハウジングに端子アッセンブリを組み付けた状態を示す拡大側面図。（ｂ）は，（ａ）のＣ−Ｃ線拡大断面図。
【図５】（ａ）は、第２の分割ハウジングを示す拡大側面図。（ｂ）は，図１（ｂ）のＤ−Ｄ線拡大断面図。（ｃ）は、（ａ）のＥ−Ｅ線拡大断面図。
【図６】（ａ）は、端子アッセンブリの一側面図。（ｂ）は、端子プレートの側面図。（ｃ）は、（ｂ）のＦーＦ線拡大断面図。
【図７】（ａ）は、端子アッセンブリの一側面図。（ｂ）は、端子プレートの側面図。（ｃ）は、（ｂ）のＧーＧ線拡大断面図。
【図８】図６（ａ）のＨ−Ｈ線拡大断面図。
【図９】本実施の形態における回路図。
【符号の説明】
１０，３１，３２…内部配線。２６…第１の分割ハウジング。２７…第２の分割ハウジング。２６１，２６２，２７１…嵌入突起。２７２…分断突起。２８…コネクタハウジング。３０…端子アッセンブリ。３５…絶縁部材。３６，３７，３８，３９，４０…端子。３６１，３７１，３８１，３９１，４０１…外部端子部。３６２，３７２，３８２，３９２，４０２…内部配線部。３６３，３７３，３８３…溶接部。３６５，３７５，３８５，３９５，４０５…爪部。４１，４２…端子プレート。４１１，４２１，４２２…連結部。４１２，４２３，４２４…凹部。４１３，４１４，４２５，４２６，４２７，４２８…切断端部。５１，５２，５３，５４，５５，５６，５７，５８，５９…支持部。Ｓ１，Ｓ２…平面。Ｋ１，Ｋ２，Ｋ３…空隙。
【図１】
0003866548.tif 000002
【図２】
0003866548.tif 000003
【図３】
0003866548.tif 000004
【図４】
0003866548.tif 000005
【図５】
0003866548.tif 000006
【図６】
0003866548.tif 000007
【図７】
0003866548.tif 000008
【図８】
0003866548.tif 000009
【図９】
0003866548.tif 000010